【事件の表示】
　特願２０００−　１１７２９「遊技機」拒絶査定不服審判事件〔平成１３年　７月２４日出願公開、特開２００１−１９８２７５〕について、次のとおり審決する。
【結　論】
　本件審判の請求は、成り立たない。
【理　由】
【１】本願の手続の経緯 
　本願は平成１２年１月２０日の出願であって、平成１４年５月２０日付けで拒絶理由が通知され、これに対し平成１４年７月３日付けで手続補正され、平成１４年７月３１日付けで拒絶査定がなされ、これに対し平成１４年８月２８日に拒絶査定に対する審判請求がなされるとともに９月２６日付けで手続補正がなされたものである。
　　　　
【２】平成１４年９月２６日付けの手続補正についての補正の却下の決定
［補正の却下の決定の結論］
　平成１４年９月２６日付けの手続補正を却下する。
［理由］
１．補正後の本願発明
　平成１４年９月２６日付けの手続補正により、補正された特許請求の範囲の請求項１に係る発明（以下、この補正を「本願補正発明」という。）は、その特許請求の範囲の請求項１に記載された以下の事項により特定されるとおりのものである。
「【請求項１】夫々独立の制御基板(39,40,42,43,46)上に構成した複数の制御手段(50,60,70,75,76)と、それら制御基板(39,40,42,43,46)に電力を供給する電源手段とを備え、遊技媒体を用いて遊技を行なう遊技機において、
　前記電源手段から供給する供給電圧を監視する電源監視手段(83,83A 〜83O)と、前記電源監視手段(83,83A 〜83O)で監視している供給電圧が所定値よりも低下した場合に、予め設定された複数の制御手段(50,60,70,75,76)の遊技制御を停止させる停止手段とを備え、
　前記停止手段は、複数の制御手段(50,60,70,75,76)の遊技制御の停止に際して、予め設定した順序で停止させることを特徴とする遊技機。」
　　　　
２．補正の適否の検討
　本願補正発明に係る補正は、平成１４年７月３日付けで補正された特許明細書の特許請求の範囲の【請求項１】に記載された「予め設定された１又は複数の制御手段(50,60,70,75,76)の遊技制御を停止させる停止手段と、を備えた」なる記載事項を、「予め設定された複数の制御手段(50,60,70,75,76)の遊技制御を停止させる停止手段とを備え、前記停止手段は、複数の制御手段(50,60,70,75,76)の遊技制御の停止に際して、予め設定した順序で停止させる」に、限定的に特定するものであって、平成１５年改正前特許法第１７条の２第４項第２号の特許請求の範囲の減縮を目的とするものに該当する。
　そこで、本願補正発明が、特許出願の際独立して特許を受けることができるものであるか（平成１５年改正前特許法第１７条の２第５項の規定において読み替えて準用する同法第１２６条第４項の規定に適合するか）について以下に検討する。
　　　
３．引用例に記載の発明
　原査定の拒絶の理由に引用され、本願の出願日前に頒布された特開平６−２３３８６７号公報（以下、「引用例」という。）には、図面とともに、以下の技術事項が記載されている。
（ア）「【請求項１】遊技媒体を用いた各種遊技の制御を行う遊技制御手段と、遊技の実行に際して作動する各種ランプ、ソレノイドと、を備えた遊技機において、前記各種ランプおよびソレノイドの電源電圧を監視する監視手段と、監視手段からの信号に基づき各種ランプおよびソレノイドの電源電圧が異常であると判定されたとき、各種ランプおよびソレノイドへの電源供給を停止するとともに、遊技の実行に必要な最小限の処理を行うように前記遊技制御手段に指令する最小限処理指令手段と、を設けたことを特徴とする遊技機。」（【特許請求の範囲】）
（イ）「・・従来の遊技機にあっては、遊技機側に直流電圧を監視する機能がなかったため、電源電圧に異常が発生しても、そのまま供給が継続され、極端な場合にはＤＣ５Ｖが正常な値よりも上昇してＣＰＵ等が破壊されたり、あるいはＤＣ５Ｖが正常な値よりも低下してＣＰＵ等の作動が阻害されるという問題点があった。」（段落【０００５】）
（ウ）「そこで本発明は、電源電圧に異常が発生しても、ＩＣを用いた制御回路の破壊を未然に防ぎ、ＣＰＵが必要最小限の処理を継続できる遊技機を提供することを目的としている。」（段落【０００７】）
（エ）「・・上記目的達成のため、本発明による遊技機は、遊技媒体を用いた各種遊技の制御を行う遊技制御手段４０１（例えば、ＣＰＵ３０１、ＲＯＭ３０２、ＲＡＭ３０３、ＥＥＰＲＯＭ３０４）と、遊技の実行に際して作動する各種ランプ３３２（例えば、大当り表示器１２１、装飾部材１０９、１１０、サイドランプ１１１、１１２、装飾ランプ１１３、１１４）、ソレノイド（例えば、大入賞口ソレノイド３３０）と、を備えた遊技機（例えば、パチンコ装置１）において、前記各種ランプおよびソレノイドの電源電圧を監視する監視手段（例えば、電圧降下検出装置３２４）と、監視手段からの信号に基づき各種ランプおよびソレノイドの電源電圧が異常であると判定されたとき、各種ランプおよびソレノイドへの電源供給を停止するとともに、遊技の実行に必要な最小限の処理を行うように前記遊技制御手段に指令する最小限処理指令手段（例えば、ＣＰＵ３０１、ＲＯＭ３０２、ＲＡＭ３０３、ＥＥＰＲＯＭ３０４）とを設けたことを特徴とする。」（段落【０００８】）
（オ）「・・図４はパチンコ機１の裏機構の構成を示す図である。図４において、パチンコ機１の裏機構の主要なものとして、・・排出制御回路盤２０５、役物制御回路盤２０６、・・がある。」（段落【００４３】）
（カ）「排出制御回路盤２０５は玉の排出に必要な各種制御を行うもので、賞品球の排出やカードリーダのカード読み取り情報に基づく貸玉の排出を行うべく、玉排出装置２０４の作動を制御する。・・役物制御回路盤２０６は遊技盤１３における役物の作動に必要な各種制御を行うものである。・・」（段落【００４７】）
（キ）「・・図５はパチンコ装置１における制御系のブロック図である。図５において、この制御系は大きく分けると、パチンコ遊技等に必要な制御を行うＣＰＵ３０１と、制御プログラム等を格納しているＲＯＭ３０２と、ワークエリアの設定や制御に必要なデータの一時記憶等を行うＲＡＭ３０３と、必要なデータ等を記憶し、電源がオフしても記憶を継続させる不揮発性のＥＥＰＲＯＭ３０４と、ＣＰＵ３０１の基本クロックを得るために所定の周波数を発振する水晶３０５と、ＣＰＵ３０１等に必要な電源を供給する電源回路３０６と、各種情報信号を受け入れるローパスフィルタ３０７と、ローパスフィルタ３０７からの信号をバス３０８を介してＣＰＵ３０１に出力するバッファゲート３０９と、ＣＰＵ３０１からの信号をバス３０８を介して受ける出力ポート３１０と、出力ポート３１０を介して入力される制御信号をドライブして各種駆動信号を生成して各表示器等に出力するドライバ３１１と、遊技に必要な効果音を生成する（あるいは音声合成を行ってもよい）サウンドジェネレータ３１２と、サウンドジェネレータ３１２からの音声信号を増幅するアンプ３１３とによって構成される。」（段落【００５３】）
（ク）「ＣＰＵ３０１を含む上記各回路は、パチンコ機２の裏側の所定位置に配置したマイクロコンピュータを含む遊技盤制御装置２０６というボードユニットによって実現されている。そして、マイクロコンピュータのボードユニットは玉貸機３、島設備、遊技店の管理装置等との間で制御信号やデータの授受が行われるようになっている。・・」（段落【００５４】）
（ケ）「電圧降下検出装置（監視手段）３２４は各種ランプおよびソレノイドの電源電圧を監視し、その電圧が所定値よりも降下したことを検出するもので、例えばオペアンプを含む電子回路によって構成される。そして、電圧が所定値よりも降下したことを検出すると、例えば“Ｈ”信号を出力する。なお、各種するランプ類にはＤＣ２４Ｖが供給され、ソレノイドにはＤＣ３０Ｖが供給される。また、ＣＰＵ３０１を始めとするＩＣ回路にはＤＣ５Ｖが供給され、各種表示を行うＬＥＤにはＤＣ１２Ｖが供給されるようになっている。」（段落【００６１】）
（コ）「ドライバ３１１からは確率設定表示ＬＥＤ２３２、２３３、大入賞口ソレノイド３３０、遊技盤１３の各種ＬＥＤ３３１、遊技盤１３の各種ランプ３３２、高確率中明示用ＬＥＤ３３３、異常電圧報知ＬＥＤ３３４に制御信号が出力される。大入賞口ソレノイド３３０は変動入賞装置（アタッカー）１０４をオープンさせるもので、可変表示装置１０２が大当り状態になると、Ｖ入賞を条件に各サイクルで一定時間あるいは一定の玉数だけ大入賞口ソレノイド３３０が励磁されてアタッカー１０４が開く。」（段落【００６３】）
（サ）「上記ＣＰＵ３０１、ＲＯＭ３０２、ＲＡＭ３０３、ＥＥＰＲＯＭ３０４は全体として遊技制御手段４０１を構成し、最小限処理指令手段および異常信号出力手段としての機能を実現する。」（段落【００６７】）
（シ）「・・上述したＣＰＵ３０１によって行われる各種制御の手順を図６以降の図を参照して詳細に説明する。ＣＰＵ３０１による制御は、パチンコ装置１の電源の投入と同時に開始され、電源が投入されている限り繰り返してその処理が実行されるメインルーチンと、その他の各サブルーチンがある。」（段落【００６８】）
（ス）「・・ランプ電源、ソレノイド電源等の電源電圧の監視を行っている電圧降下検出装置３２４からの信号の監視を行い、電圧降下を確認した場合にランプおよびソレノイドの出力をオフにするもので、詳細は後述のサブルーチンで説明する。・・」（段落【００７２】）
（セ）「・・図８はメインルーチンのフェーズ（ＰＨＡＳＥ）２におけるステップＳ２８のパワーフェイル処理の詳細なサブルーチンを示す図である。まず、ステップＳ２００でフェイル信号がオンしているか、すなわち電圧降下検出装置３２４からの電圧降下検出信号がある（電圧が降下している）かどうかを判別し、判別結果がＹＥＳの場合はランプおよびソレノイド電源電圧が降下していると判断してステップＳ２０２でランプおよびソレノイドをオフする。すなわち、ランプおよびソレノイドへの電源供給を停止する。これにより、ランプ電源であるＤＣ２４Ｖおよびソレノイド電源であるＤＣ３０Ｖが供給停止となる。」（段落【００８５】）
（ソ）「このように、ランプおよびソレノイド電源電圧が降下していると判断した場合には、ステップＳ２００〜ステップＳ２０８を経てリセット待ちのルートを通り、電源が破壊しないようにし、かつＣＰＵ３０１の動作電圧である５Ｖ電源が降下しないように、比較的大きい電流の流れを停止すべくランプおよびソレノイドへの電源供給が停止される。したがって、電源の破壊を未然に防止することができる。また、必要最小限の処理をＣＰＵ３０１で続行することができ、例えば賞球制御、出力処理、乱数更新処理などを行うことができる。その結果、入賞球に対する賞球数が保証される等して遊技者の利益を保護することができる。ただし、特図ゲームは停止している。さらに、ランプおよびソレノイド電源電圧をオフするので、異常の影響が５Ｖ電源に及ぶのを抑えることができ、ＤＣ５Ｖが正常な値よりも上昇してＣＰＵ等が破壊されたり、あるいはＤＣ５Ｖが正常な値よりも低下してＣＰＵ等の作動が阻害されるという不具合を防止することができる。」（段落【００８８】）
　　　　
　以上の（ア）乃至（ソ）の記載事項及び図面の記載から、「引用例」には、以下の発明（以下、「引用発明」という。）が記載されているものと認められる。
　　　　
＜引用発明＞
「パチンコ機１は、裏機構の主要なものに、排出制御回路盤２０５、役物制御回路盤２０６、発射回路盤２０７を有し、制御系は、パチンコ遊技等に必要な制御を行うＣＰＵ３０１と、制御プログラム等を格納しているＲＯＭ３０２と、制御に必要なデータの一時記憶等を行うＲＡＭ３０３と、必要なデータ等を記憶し電源がオフしても記憶を継続させる不揮発性のＥＥＰＲＯＭ３０４と、ＣＰＵ３０１等に必要な電源を供給する電源回路３０６と、ＣＰＵ３０１からの信号をバス３０８を介して受ける出力ポート３１０と、出力ポート３１０を介して入力される制御信号をドライブして各種駆動信号を生成して大入賞口ソレノイド３３０、遊技盤１３の各種ランプ３３２に出力するドライバ３１１とを備え、遊技媒体を用いて各種遊技を行う遊技機において、電圧降下検出装置３２４は各種ランプ３３２およびソレノイドの電源電圧を監視し、その電圧が所定値よりも降下したことを検出するもので、このランプ電源、ソレノイド電源等の電源電圧の監視を行う電圧降下検出装置３２４が電圧降下を確認した場合、ランプおよびソレノイドへの電源供給が停止される遊技機。」
　　　　
４．対比・判断
１．本願補正発明と引用発明との対比
　本願補正発明と引用発明とを対比すると、引用発明の「電源を供給する電源回路３０６」が本願補正発明の「電力を供給する電源手段」に相当し、以下同様に、「遊技媒体を用いて各種遊技を行う遊技機」が「遊技媒体を用いて遊技を行う遊技機」に、「ランプ電源、ソレノイド電源等の電源電圧の監視を行う電圧降下検出装置３２４」が「供給電圧を監視する電源監視手段」に、相当している。
　また、引用例の上記記載事項（オ）「・・図４はパチンコ機１の裏機構の構成を示す図である。・・パチンコ機１の裏機構の主要なものとして、・・排出制御回路盤２０５、役物制御回路盤２０６、・・がある。」、同じく記載事項（カ）「排出制御回路盤２０５は玉の排出に必要な各種制御を行うもので、賞品球の排出やカードリーダのカード読み取り情報に基づく貸玉の排出を行うべく、玉排出装置２０４の作動を制御する。・・役物制御回路盤２０６は遊技盤１３における役物の作動に必要な各種制御を行うものである。・・」の記載、及び【図４】に基づけば、引用発明は、夫々独立の制御基板を構成し、各制御基板には制御手段を備えるものであるから、引用発明は本願補正発明と同様に「夫々独立の制御基板上に構成した複数の制御手段」を備えたものといえる。
　そして、引用例の上記記載事項（ス）「・・ランプ電源、ソレノイド電源等の電源電圧の監視を行っている電圧降下検出装置３２４からの信号の監視を行い、電圧降下を確認した場合にランプおよびソレノイドの出力をオフにする・・」、同じく記載事項（セ）「・・すなわち電圧降下検出装置３２４からの電圧降下検出信号がある（電圧が降下している）かどうかを判別し、判別結果がＹＥＳの場合はランプおよびソレノイド電源電圧が降下していると判断してステップＳ２０２でランプおよびソレノイドをオフする。すなわち、ランプおよびソレノイドへの電源供給を停止する。これにより、ランプ電源であるＤＣ２４Ｖおよびソレノイド電源であるＤＣ３０Ｖが供給停止となる。」なる記載に基づけば、引用発明は、電源監視手段（電圧降下検出装置３２４）で監視している供給電圧が所定値よりも低下した場合に、ランプおよびソレノイドへの電源供給を停止することで遊技を停止させるものであり、且つ遊技を停止させる機能を実現させる手段を有するものと解されるから、引用発明と本願補正発明は、「電源監視手段で監視している供給電圧が所定値よりも低下した場合に、遊技を停止させる停止手段とを備え」た点で共通する構成を備たものといえる。
　　　　
してみると、引用発明と本願補正発明とは
　　　　
「夫々独立の制御基板上に構成した複数の制御手段と、それら制御基板に電力を供給する電源手段とを備え、遊技媒体を用いて遊技を行なう遊技機において、
　前記電源手段から供給する供給電圧を監視する電源監視手段と、前記電源監視手段で監視している供給電圧が所定値よりも低下した場合に、遊技を停止させる停止手段とを備えた遊技機。」
　　　　　
　である点で一致し、以下の点で相違する。
　　　
＜相違点＞
　供給電圧が所定値よりも低下した場合、停止手段は、本願補正発明においては、複数の制御手段の遊技制御を予め設定した順序で停止させるのに対し、引用発明においては、電力消費が大きいランプやソレノイド等の機器への電源を遮断して遊技を停止させている点。
　　　　
５．相違点についての検討
＜相違点について＞
　本願補正発明において、停止手段が複数の制御手段を予め設定した順序で制御を停止させる目的は、供給される電源が異常状態になった場合、払出し制御手段の停止タイミングを主制御手段より遅くして払出し制御手段による賞球の払出し処理の未了を防止し、遊技者の利益を補償するものと解され（本願補正発明の明細書の段落【００５６】、【００５７】参照）、これは、障害発生時に直ちに制御手段の制御を停止して制御手段が行う必要な処理を中断するのでなく、その必要な処理の完了後に行う制御手段を停止する技術といえる。
　ところで、障害発生時に制御手段を停止する技術に関して、障害発生時に直ちに制御手段の制御を停止して制御手段が行う必要な処理を中断するのでなく、その必要な処理の完了後に停止することは、制御手段を停止する技術として多用されている周知技術（例えば、制御手段を必要な処理の完了後に停止状態にする技術として、特開平９−２８０１０１号公報（段落【００１７】、【００２９】、【００３０】）、特開平８−７１２１６号公報（段落【００４５】〜【００４７】）、制御手段を必要な処理の完了後にリセットする技術として、特開平３−５２０１５号公報（第３頁右下欄第１７行〜第４頁左上欄第２０行）、特開昭６４−７２１４号公報（第２頁左下欄第１５行〜第３頁右上欄第１７行）参照、以下「周知技術Ａ」という。また、制御手段を停止することは、制御による機器の動作も停止することになるから、例えば、各デバイスで構成される各種機器において、直ちに停止して中断するのでなく、その制御による必要な処理の完了後に停止させることは、通常広く行われている技術常識（例えば、特開平４−１８６２２号公報（「プリンタへの印字中」、「ファイル書込み中」参照）というべきである。）である。
　そして、パチンコ機分野において、供給電圧が低下すると制御手段の制御を停止することは、誤動作を防止して遊技者の利益を補償する観点から、広く採用されている技術常識（例えば、特開平１０−１０８９６２号公報（段落【００４４】、【００５２】、【００５５】、【００５７】）、特開平８−７１２１６号公報（段落【００４４】〜【００４７】）参照）というべきである。
　また、複数の制御手段を停止する際に、複数の制御手段にわたり予め設定した順序で行うことも、複数の制御手段を備える各種機器の制御手段を停止する場合に行われている周知技術（例えば、複数の制御手段を設定した順序で停止状態にする技術として、特開平３−２１７９２２号公報、特開平１−２５８０１７号公報、複数の制御手段を設定した順序でリセットする技術として、特開平２−１６６５０５号公報、特開昭６３−２７１５１２号公報（第２頁右上欄第１０行〜同頁右下欄第２０行）、特開平９−２５８８５２号公報（段落【０００１】、【００１２】〜【００１４】）、特表平７−５０５２４１号公報参照、以下「周知技術Ｂ」という。）である。
　そうすると、引用発明と上記周知技術Ａ，Ｂは、共に制御手段の個数や制御手段に関連する動作を停止する時期・条件の如何によらず、制御手段による制御の障害の怖れがある場合、制御手段に関連する動作を一時的に停止して、障害による制御の誤動作を防止する点で技術が共通しており、また、相互に技術の転用を図ることに格別困難性はないから、引用発明の制御手段・停止手段に、障害発生時に制御手段を停止する技術として、障害発生時に直ちに制御手段の制御を停止して制御手段が行う必要な処理を中断するのでなく、その必要な処理の完了後に停止する上記周知技術Ａ、及び複数の制御手段を停止する際に、複数の制御手段にわたり予め設定した順序で行う上記周知技術Ｂ、及びパチンコ機分野において、供給電圧が低下すると制御手段の制御を停止する上記技術常識を各々適用し、供給電圧が所定値よりも低下した場合、複数の制御手段の遊技制御を予め設定した順序で停止させること、即ち、本願補正発明に係る相違点を構成とすることは、当業者であれば容易に想到し得たことである。
　なお、本願補正発明において、「電源監視手段」が監視する「供給電圧」は、実施例の記載からみて、電源手段に供給される供給電圧でも、複数の制御基板上の制御回路のそれぞれに供給される供給電圧でも、また、それら供給電圧の一部でも良いように記載されており、いずれも結局のところ停止手段が予め設定した順序で停止してゆくための電圧低下検知を行うものにすぎず、実施例におけるこれらの供給電圧検知箇所の違いに格別の意味はない。（なお、電源回路（電源手段）に供給される交流電圧を監視することも、当該技術分野において周知技術（例えば、特開平９−２９９５９２号公報（段落【００２１】、【００３０】）、特開平６−７１０２９号公報（段落【００４９】、【０１２０】）参照）である。また、「停止手段」である「制御リセット手段」を一箇所、或いは複数箇所に設けることについても、当該技術分野において周知技術（例えば、特開平１１−１０４３１２号公報、特開平１１−４７４０８号公報参照）である。）
　　　　
６．作用効果・判断
　そして、本願補正発明における作用効果は、引用発明及び周知技術に基づいて当業者が当然予測できるものである。
　したがって、本願補正発明は、引用発明及び周知技術に基づいて当業者が容易に発明をすることができたものであるから、特許法第２９条第２項の規定により特許を受けることができない。
　　　　　
７．むすび
　以上のとおり、本願補正発明は、平成１５年改正前特許法第１７条の２第５項の規定において読み替えて準用する同法第１２６条第４項の規定に違反するものであり、特許法第１５９条第１項の規定において読み替えて準用する同法第５３条第１項の規定によって却下されるべきものである。
　よって、上記「補正の却下の決定の結論」のとおり決定する。
　　　　　
【３】本願発明について
１．本願発明
　平成１４年９月２６日付けの手続補正は上記のとおり却下されたので、本願発明は平成１４年７月３日付けの手続補正書の明細書及び図面の記載からみて、本願の特許請求の範囲の請求項１（全請求項数は３）に特定される以下のとおりのものである。
「【請求項１】夫々独立の制御基板(39,40,42,43,46)上に構成した複数の制御手段(50,60,70,75,76)と、それら制御基板(39,40,42,43,46)に電力を供給する電源手段とを備え、遊技媒体を用いて遊技を行なう遊技機において、
　前記電源手段から供給する供給電圧を監視する電源監視手段(83,83A 〜83O)と、前記電源監視手段(83,83A 〜83O)で監視している供給電圧が所定値よりも低下した場合に、予め設定された１又は複数の制御手段(50,60,70,75,76)の遊技制御を停止させる停止手段と、
　を備えたことを特徴とする遊技機。」
　　　
２．引用例に記載された発明
　原査定の拒絶の理由に引用された引用例及びその記載事項は、前記【２】３．に記載したとおりである。
　　　
３．対比・判断
　本願発明は、本願補正発明から前記【２】２．で検討した限定事項を省いたものである。
　そうすると、本願発明の構成要件を全て含み、さらに、上記限定事項を付加したものに相当する本願補正発明が、前記【２】５．で検討したとおり、引用発明及び周知技術に基づいて、当業者が容易に発明をすることができたものであるから、本願発明も同様の理由により、当業者が容易に発明をすることができたものである。
　　　　
４．むすび
　以上のとおり、本願発明は、引用発明及び周知技術に基づいて、当業者が容易に発明をすることができたものであるから、特許法第２９条第２項の規定により特許を受けることができないものであり、本願の他の請求項について検討するまでもなく、本願は拒絶すべきものである。
　よって、結論のとおり審決する。